(57)【要約】【課題】  圧迫感がなく、着用するだけで高いマッサージ効果を得ることが可能な衣類を提供する。【解決手段】  本発明の衣類は、衣類本体１０１と、押圧部１０５とを含む衣類であって、衣類本体１０１の身体の伸縮箇所近傍に押圧部１０５が設けられており、押圧部１０５を肌側に加圧する加圧部１０２を有し、加圧部１０２は、前記伸縮箇所が伸びるとき、または、前記伸縮箇所が伸びていないときのいずれか一方において押圧部１０５を肌側に加圧し、かつ、他方において前記加圧状態を解除するように衣類本体１０１に形成されていることを特徴とする。【選択図】  図１
2013209770.tif 000002
【特許請求の範囲】
【請求項１】
衣類本体と、押圧部とを含む衣類であって、
衣類本体の身体の伸縮箇所近傍に前記押圧部が設けられており、
前記押圧部を肌側に加圧する加圧部を有し、
前記加圧部は、前記伸縮箇所が伸びるとき、または、前記伸縮箇所が伸びていないときのいずれか一方において前記押圧部を肌側に加圧し、かつ、他方において前記加圧状態を解除するように前記衣類本体に形成されていることを特徴とする、衣類。
【請求項２】
衣類本体と、押圧部とを含む衣類であって、
衣類本体の身体の伸縮箇所近傍に前記押圧部が設けられており、
前記押圧部を肌側に加圧する加圧部を有し、
前記加圧部は、前記伸縮箇所が伸びていないときは前記押圧部を加圧せず、前記伸縮箇所が伸びるときは前記押圧部を肌側に加圧可能となるように形成されていることを特徴とする、衣類。
【請求項３】
前記加圧部が、前記衣類本体と別部材で形成され、身体の伸縮方向に沿って設けられていることを特徴とする、請求項１または２に記載の衣類。
【請求項４】
前記加圧部が、身体の伸縮方向に対して難伸縮であることを特徴とする、請求項１から３のいずれか一項に記載の衣類。
【請求項５】
前記加圧部が、前記衣類本体から少なくとも一部が分離していることを特徴とする、請求項１から４のいずれか一項に記載の衣類。
【請求項６】
さらに、前記加圧部と前記押圧部との間に、難伸縮性または非伸縮性のシートが設けられていることを特徴とする、請求項１から５のいずれか一項に記載の衣類。
【請求項７】
前記衣類が、ボトム衣類であり、
前記衣類本体が、股関節が屈曲した状態に合わせて形成され、
前記加圧部が、鼡径部をまたいで設けられていることを特徴とする、請求項１から６のいずれか一項に記載の衣類。
【請求項８】
前記押圧部が、腸の一部を押圧可能となる位置に設けられていることを特徴とする、請求項７記載の衣類。
【請求項９】
前記衣類本体が、脚部内側布、脚部外側布、前中心布、後中心布および加圧部布から構成され、
前記前中心布は、前方向に傾斜して前記脚部内側布の上辺に固着されていることを特徴とする、請求項７または８記載の衣類。
【請求項１０】
前記衣類が、ボトム衣類であり、
前記押圧部が、腰部の少なくとも一部を押圧可能となる位置に設けられていることを特徴とする、請求項１から６のいずれか一項に記載の衣類。
【請求項１１】
前記衣類が、トップスであり、
前記衣類本体が、両脇を閉め、両腕を真下に下ろした状態に合わせて形成され、
前記押圧部が、脇部および肩甲骨下部の少なくとも一方を押圧可能となる位置に設けられていることを特徴とする、請求項１から６のいずれか一項に記載の衣類。
【請求項１２】
前記衣類が、フード付き衣類であり、
前記衣類のフードの付け根部分から頭頂部までの長さが、身体の肩部から頭頂部までの長さと同じになるように形成され、
前記押圧部が、首の後側の少なくとも一部を押圧可能となる位置に設けられていることを特徴とする、請求項１から６のいずれか一項に記載の衣類。
【発明の詳細な説明】
【技術分野】
【０００１】
本発明は、衣類に関する。
【背景技術】
【０００２】
従来、衣類、特にインナーウェアに関しては、着用時に身体にフィットさせるだけでなく、マッサージ効果をもたらす技術が提案されている。例えば、特許文献１には、編地を切り替えて衣類内面に突出する畝を形成することによってマッサージ効果を得るインナーウェアが提案されている。また、特許文献２には、鼡径部および下腹部を加圧ベルトによって押圧するリンパ浮腫用の治療ベルトが提案されている。
【先行技術文献】
【特許文献】
【０００３】
【特許文献１】特許第３４１５６１７号公報
【特許文献２】実用新案登録第３１１３３４０号公報
【発明の概要】
【発明が解決しようとする課題】
【０００４】
しかし、前記特許文献１の技術では、突部である畝が十分に身体に当たらず、マッサージ効果が十分でないという問題がある。一方、前記特許文献２の技術では、着用中常に下腹部などが押圧されている状態であるため、圧迫感が強く、着用感が悪いという問題がある。
【０００５】
そこで、本発明は、圧迫感がなく、着用するだけで高いマッサージ効果を得ることが可能な衣類を提供することを目的とする。
【課題を解決するための手段】
【０００６】
前記目的を達成するために、本発明の衣類は、
衣類本体と、押圧部とを含む衣類であって、
衣類本体の身体の伸縮箇所近傍に前記押圧部が設けられており、
前記押圧部を肌側に加圧する加圧部を有し、
前記加圧部は、前記伸縮箇所が伸びるとき、または、前記伸縮箇所が伸びていないときのいずれか一方において前記押圧部を肌側に加圧し、かつ、他方において前記加圧状態を解除するように前記衣類本体に形成されていることを特徴とする。
【０００７】
また、本発明の衣類は、
衣類本体と、押圧部とを含む衣類であって、
衣類本体の身体の伸縮箇所近傍に前記押圧部が設けられており、
前記押圧部を肌側に加圧する加圧部を有し、
前記加圧部は、前記伸縮箇所が伸びていないときは前記押圧部を加圧せず、前記伸縮箇所が伸びるときは前記押圧部を肌側に加圧可能となるように形成されていることを特徴とする。
【発明の効果】
【０００８】
本発明の衣類によれば、身体の曲げ伸ばしによって押圧部が身体に押し込まれたり離れたりするため、着用していつもどおりの生活をするだけで、身体を十分に押圧でき、高いマッサージ効果を得ることができる。また、本発明の衣類によれば、着用中常に身体を押圧するのではなく、前述のように押圧部が押し込まれたり離れたりするため、圧迫感が少なく、楽な着用感を実現できる。
【図面の簡単な説明】
【０００９】
【図１】図１は、本発明の第１の実施形態に係るスパッツ１００の正面図である。
【図２】図２は、前記第１の実施形態に係るスパッツ１００を横から見た図である。
【図３】図３は、前記第１の実施形態に係るスパッツ１００の着用状態を示す図である。
【図４】図４は、前記第１の実施形態に係るスパッツ１００のパターンの図である。
【図５】図５は、従来のスパッツのパターンを示す図である。
【図６】図６は、前記第１の実施形態に係るスパッツ１００の押圧部が押圧する腸の箇所を示す図である。
【図７】図７は、前記第１の実施形態に係るスパッツ１００の押圧部の模式図である。
【図８】図８（ａ）は、前記第１の実施形態に係るスパッツ１００の押圧部の取り付け状態を示す図である。図８（ｂ）（ｃ）は、前記第１の実施形態に係るスパッツ１００の収納部の構造を示す図である。
【図９】図９（ａ）は、前記第１の実施形態に係るスパッツ１００を着用して脚を曲げた状態の図、図９（ｂ）は、脚を伸ばした状態の図である。
【図１０】図１０（ａ）（ｂ）は、前記第１の実施形態に係るスパッツ１００のシート部を示す図である。図１０（ｃ）（ｄ）は、押圧部の押圧の状態を示す図である。
【図１１】図１１は、本発明の第２の実施形態に係るスパッツ２００を示す図である。図１１（ａ）は、正面図、図１１（ｂ）は、横から見た図である。
【図１２】図１２は、本発明の第３の実施形態に係るスパッツ３００を示す図である。図１２（ａ）は、背面図、図１２（ｂ）は、着用状態を示す図である。
【図１３】図１３は、本発明の第４の実施形態に係るＴシャツ４００の着用状態を示す図である。
【図１４】図１４は、本発明の第５の実施形態に係るＴシャツ５００の着用状態を示す図である。
【図１５】図１５は、本発明の第６の実施形態に係るフード付き衣類６００を示す図である。図１５（ａ）は、背面図、図１５（ｂ）は、着用状態を示す図である。
【図１６】図１６は、着用客観評価１の結果を示すグラフである。
【図１７】図１７は、着用客観評価２の結果を示す表である。
【図１８】図１８は、関節部の伸縮を示す模式図である。
【発明を実施するための形態】
【００１０】
前述のように、本発明の衣類は、衣類本体と、押圧部とを含む衣類であって、
衣類本体の身体の伸縮箇所近傍に前記押圧部が設けられており、
前記押圧部を肌側に加圧する加圧部を有し、
前記加圧部は、前記伸縮箇所が伸びるとき、または、前記伸縮箇所が伸びていないときのいずれか一方において前記押圧部を肌側に加圧し、かつ、他方において前記加圧状態を解除するように前記衣類本体に形成されていることを特徴とする。
【００１１】
また、前述のように、本発明の衣類は、衣類本体と、押圧部とを含む衣類であって、
衣類本体の身体の伸縮箇所近傍に前記押圧部が設けられており、
前記押圧部を肌側に加圧する加圧部を有し、
前記加圧部は、前記伸縮箇所が伸びていないときは前記押圧部を加圧せず、前記伸縮箇所が伸びるときは前記押圧部を肌側に加圧可能となるように形成されていることを特徴とする。
【００１２】
本発明において、前記「身体の伸縮箇所」とは、身体の伸縮可能な箇所をいい、特に制限されないが、例えば、股関節、肩関節、背中の肩甲骨周辺部、腰部、首部などの関節部をいう。
【００１３】
本発明において、前記「伸縮箇所が伸びていない」とは、前記関節部などが縮んでいること、前記「伸縮箇所が伸びる」とは、前記関節部などが伸びていることを意味する。例えば、（ｉ）押圧したい箇所が関節の内側、すなわち折れ曲がる側（図１８（ａ）のＪ側）である場合には、図１８（ａ）で示すように、関節部Ｆを屈曲した状態が縮んだ状態であり、関節部Ｆをまっすぐにした状態が伸びた状態である。また、例えば、（ｉｉ）押圧したい箇所が関節の外側、すなわち折れ曲がる側と反対側（図１８（ｂ）のＫ側）である場合には、図１８（ｂ）で示すように、関節部Ｆをまっすぐにした状態が縮んだ状態であり、関節部Ｆを屈曲した状態が伸びた状態である。このように、例えば、図１８（ａ）の下図と図１８（ｂ）の上図のように、同じ状態をさしていても、押圧したい箇所に応じて、伸縮箇所が「伸びている」か、「伸びていない」かは相対的に決定される。
【００１４】
前記（ｉ）、（ｉｉ）のいずれの説明があてはまるかは、押圧したい箇所を押圧する態様によって決定される。例えば、押圧したい箇所が、股関節における鼡径部近傍である場合、脚を伸ばした状態で押圧部が加圧され、脚を曲げた状態で加圧状態が解除される態様にする場合には、前記（ｉ）の説明があてはまる。なお、「加圧状態を解除する」とは、押圧部が肌を押圧する圧力が加圧状態よりも相対的に小さくなる状態を意味する。また、例えば、押圧したい箇所が腰部である場合、前かがみの姿勢になった状態で加圧され、腰部をまっすぐに起こした状態で加圧状態が解除される態様にする場合には、前記（ｉｉ）の説明があてはまる。そして、例えば、押圧したい箇所が首部である場合、首を前に倒した状態で加圧され、頭部をまっすぐに起こした状態で加圧状態が解除される態様にする場合には、前記（ｉｉ）の説明があてはまる。一方、首をまっすぐにした状態で加圧され、頭部を後側に倒した状態で加圧状態が解除される態様にする場合には、前記（ｉ）の説明があてはまる。さらに、例えば、押圧したい箇所が肩部である場合、例えば、腕を前方向に振った状態で加圧され、腕を体の側面に戻した状態で加圧状態が解除される態様にする場合には、前記（ｉｉ）の説明があてはまる。また、例えば、押圧したい箇所が肩部の前側の腕の付け根付近である場合、腕が体の側面にある状態で加圧され、腕を前方向に振った状態で加圧状態が解除される態様にする場合には、前記（ｉ）の説明があてはまる。
【００１５】
次に、本発明の衣類について、例をあげて説明する。ただし、本発明は、以下の例に限定および制限されない。
【００１６】
（第１の実施形態）
図１および図２に、本発明の第１の実施形態に係るスパッツ１００を示す。図１は、スパッツ１００の正面図、図２は、スパッツ１００を横から見た図、図３は、スパッツ１００の着用状態を示す図である。
【００１７】
図１に示すように、本実施形態において、スパッツ１００は、衣類（以下、第１〜第３の実施形態においては、「スパッツ」ともいう。）本体１０１と、押圧部１０５とを含む。押圧部１０５は、スパッツ本体１０１の肌側に設けられている。また、押圧部１０５は、腸の一部を押圧可能となる位置に設けられている。押圧部１０５のスパッツ本体１０１側には、加圧部１０２を有する。
【００１８】
図２に示すように、本実施形態において、スパッツ本体１０１は、股関節が屈曲した状態に合わせて形成されている。本実施形態において、股関節が屈曲した状態とは、図３に示すように、両脚を曲げた状態をいう。
【００１９】
図４に、本実施形態に係るスパッツ１００のスパッツ本体１０１を形成するパターンの図を示す。図４は、スパッツ本体１０１の着用時の左半身に該当する部分を形成するパターンである。図示のように、スパッツ本体１０１は、脚部内側布１０１Ａ、脚部外側布１０１Ｂ、前中心布１０１Ｃ、後中心布１０１Ｄ、および加圧部布１０１Ｅから構成され、前中心布１０１Ｃは、脚部内側布１０１Ａの上辺に固着されている。スパッツ本体１０１の左半身は、脚部内側布１０１Ａおよび前中心布１０１Ｃの辺Ｌ１と、加圧部布１０１Ｅの辺Ｌ２とが固着され、加圧部布１０１Ｅの辺Ｓ１と、脚部外側布１０１Ｂの辺Ｓ２とが固着され、脚部内側布１０１Ａの辺Ｔ１と、脚部外側布１０１Ｂの辺Ｔ２とが固着され、脚部外側布１０１Ｂの辺Ｕ１と、後中心布１０１Ｄの辺Ｕ２とが固着され、後中心布１０１Ｄの辺Ｘ２と、脚部内側布１０１Ａの辺Ｘ１とが固着されて、形成される。
【００２０】
一方、図５に、従来のスパッツの左半身を、前述のスパッツ本体１０１のパターンに合わせて展開した図を示す。図５において、１０１Ａ’は、図４の１０１Ａに、１０１Ｂ’は、図４の１０１Ｂに、１０１Ｃ’は、図４の１０１Ｃに、１０１Ｄ’は、図４の１０１Ｄに、１０１Ｅ’は、図４の１０１Ｅに、それぞれ対応する箇所である。図５において斜線で示す部分を除けば、図４に示すパターンと同じとなる。図４および図５を比較すると、図４に示す本実施形態に係るスパッツ１００では、前中心布１０１Ｃが、前方向に傾斜していることがわかる。前方向とは、着用者から見た身体の前方向をいう。このように、図４に示すパターンにすることにより、股関節が屈曲した状態に合わせた形状のスパッツ１００を形成することができる。
【００２１】
本実施形態において、前中心布１０１Ｃの傾斜角度θ（脚部内側布１０１Ａの上辺を水平に伸ばした線と、前中心布１０１Ｃとで形成される角度）は、１５°〜８０°が好ましく、より好ましくは３０°〜７０°であり、さらに好ましくは４０°〜６０°である。
【００２２】
本実施形態において、スパッツ本体１０１に使用する素材は、特に制限されないが、例えば、トリコットまたはツーウェイトリコット等の経編地、ベア天竺等の丸編地などがあげられる。
【００２３】
本実施形態において、押圧部１０５は、スパッツ本体１０１の肌側の、腸の一部を押圧可能となる位置２箇所に設けられている。前記位置は、身体の伸縮箇所である股関節の近傍である。そして、押圧部１０５のスパッツ本体１０１側には、それぞれ加圧部１０２が配置されている。本実施形態では、加圧部１０２は、スパッツ本体１０１の一部（前記加圧部布１０１Ｅ）を構成し、押圧部１０５は、加圧部１０２の肌側に設けられている。ただし、本発明はこれに限られず、加圧部がスパッツ本体とは別部材として設けられていてもよい。この場合、加圧部は、スパッツ本体の肌側に配置されてもよいし、肌側とは反対側（押圧部と反対側）に配置されてもよい。また、本実施形態では、加圧部１０２は、加圧部布１０１Ｅを接ぎ合わせることで形成されているが、スパッツ本体１０１と一体で、例えば、スパッツ本体１０１の編地を切り替えたり、樹脂加工を施したりすることで形成されていてもよい。
【００２４】
図６に、押圧部１０５が押圧する腸の箇所Ｗを示す。図示のような箇所Ｗで腸の一部をマッサージすることは、便秘の改善に効果がある。なお、本実施形態においては、押圧部１０５は２箇所設けられているが、本発明はこれに限られない。押圧部１０５は、マッサージを施す箇所に応じて、１箇所でも良いし、２以上の複数箇所設けられていてもよい。
【００２５】
また、本実施形態では、箇所Ｗをマッサージする例を挙げて説明しているが、本発明はこれに限定されるものではない。例えば、マッサージ効果の得られる股間節近傍の他の箇所を押圧部１０５が押圧するようにしてもよい。
【００２６】
本実施形態において、押圧部１０５は、円柱状の部材である。図７に、押圧部１０５の模式図を示す。押圧部１０５の直径は、２ｃｍ〜１０ｃｍが好ましく、より好ましくは４ｃｍ〜８ｃｍであり、さらに好ましくは５ｃｍ前後である。押圧部の厚みは、０．３ｃｍ〜５ｃｍが好ましく、より好ましくは０．５ｃｍ〜４ｃｍであり、さらに好ましくは２ｃｍ前後である。なお、本発明において、押圧部の形状は、円柱状に限られない。押圧部の平面形状の例としては、例えば、長方形、正方形、その他多角形、矩形、楕円形、小判形などがあげられる。長方形、正方形、その他多角形など、角のある形状のものでは、その角の部分を弧状に面取りすれば、押圧した際に角が身体に当たることによる刺激をなくすことができ、好ましい。
【００２７】
押圧部１０５に使用する素材は、特に制限されないが、身体を押圧した際に痛みを感じない程度の硬さであることが好ましい。使用する素材としては、例えば、プラスチック発泡体、フェルト等の圧縮繊維、不織布、ゴム、樹脂、シリコン、嵩高性のある編地（例えば、表地と裏地が中糸で連結された立体構造を有するダンボールニット等の編地）、ウレタン、ポリエチレンなどがあげられる。
【００２８】
図８（ａ）に、押圧部１０５のスパッツ本体１０１への取り付け状態を肌側から見た図を示す。図８（ａ）に示すように、本実施形態において、押圧部１０５は、加圧部１０２の肌側に設けられた収納部１０３内に収納されている。
【００２９】
収納部１０３に使用する素材は、特に制限されないが、例えば、パワーネット、トリコットまたはツーウェイトリコット等の経編地、ベア天竺等の丸編地等があげられる。収納部１０３は、伸縮性のある素材で形成されていることが、押圧部１０５のスパッツ本体１０１への取り付け位置が安定するため、好ましい。図８（ｂ）（ｃ）に、収納部１０３の構造の一例を示す。図示のように、収納部１０３は、上側開口部１０３Ａと、下側開口部１０３Ｂとを有する袋状とすることができる。上側開口部１０３Ａおよび下側開口部１０３Ｂを、図８（ｂ）に示すようにそれぞれ矢印方向に引くことにより、図８（ｃ）に示すように開口部Ｐができ、開口部Ｐから押圧部１０５を容易に収納可能である。
【００３０】
なお、本実施形態では、押圧部１０５は収納部１０３に収納されることでスパッツ本体１０１へ取りつけられているが、本発明はこれに限られず、例えば接着剤等により、押圧部が衣類本体の肌側へ直接固着されていてもよい。また、本実施形態では、収納部１０３は、開口部Ｐを有し、押圧部１０５を出し入れ可能となっているが、本発明はこれに限られず、押圧部１０５は開口部を有さない収納部に収納されていてもよい。
【００３１】
本実施形態において、加圧部１０２は、押圧部１０５のスパッツ本体１０１側に、身体の伸縮方向に沿って、鼡径部（股関節の前方部）をまたいで設けられている。なお、本実施形態において、加圧部１０２は、スパッツ本体１０１の一部を構成しているが、前述のとおり、本発明はこれに限定されず、加圧部は、スパッツ本体とは別部材として設けられていてもよい。この場合、加圧部は、スパッツ本体の肌側に配置されてもよいし、肌側とは反対側（押圧部と反対側）に配置されてもよい。また、前述のとおり、加圧部１０２は、スパッツ本体１０１の編地を切り替えたり、樹脂加工を施すことで形成されてもよい。
【００３２】
加圧部１０２は、身体の伸縮方向に難伸縮であることが好ましい。難伸縮とは、スパッツ本体の他の部分よりも伸縮性が低いことをいう。これにより、身体が伸びる際、加圧部１０２は伸びず、張りが生じる。このため、身体が伸びた時に、加圧部１０２には押圧部１０５を肌側に加圧する力が働く。加圧部１０２に使用する素材は、特に制限されないが、例えば、トリコットまたはツーウェイトリコット等の経編地、ベア天竺等の丸編地、ハリ、コシを有する難伸縮性の素材を用いても良い。また、樹脂プリントを施した素材を用いても良いし、抜蝕加工を施した素材を用いても良い。なお、本発明はこれに限られず、加圧部は、例えば、スパッツ本体の他の部分と同じ素材を重ね合わせて形成するなどして、伸縮性を前記他の部分と比べて低くしてもよい。
【００３３】
加圧部１０２の身体が伸びる方向と略直交する方向の幅は、押圧部１０５を加圧可能であればよく、特に制限されないが、例えば、押圧部１０５の幅よりも広めに設定してもよい。また、充分に押圧部１０５を加圧可能であるならば、押圧部１０５の幅よりも狭めに設定してもよい。加圧部１０２の身体が伸びる方向の長さは、前述のとおり、押圧部１０５を加圧可能であればよく、特に制限されないが、例えば、１０ｃｍ〜５０ｃｍが好ましく、より好ましくは２０ｃｍ〜４０ｃｍであり、さらに好ましくは３５ｃｍ前後である。
【００３４】
次に、本実施形態におけるスパッツ１００の作用を説明する。スパッツ１００は、前述のように、股関節が屈曲した状態に合わせて形成されていることから、着用者が脚（股関節）を伸ばすと、屈曲している部分の周辺部が着丈方向に張る状態となる。前記屈曲している部分の周辺部において、加圧部１０２が、鼡径部（股関節の前方部）をまたいで設けられている。加圧部１０２は、着丈方向に難伸縮であるため、加圧部１０２の張りは、他の部分と比較して強くなる。これにより、加圧部１０２によって、押圧部１０５が加圧され、腹部へ押し込まれる。一方、着用者が脚を曲げると、スパッツ本体１０１および加圧部１０２の張りが解消されるため、加圧部１０２は押圧部１０５を加圧せず、押圧部１０５は、腹部に触れているだけの状態となる。
【００３５】
図９に、スパッツ１００を着用して脚を曲げた状態および脚を伸ばした状態の図を示す。図９（ａ）は、脚を曲げた状態の図、図９（ｂ）は、脚を伸ばした状態の図である。図９（ａ）に示すように、脚を曲げた状態では、押圧部１０５は腹部に押し込まれていない。これに対し、図９（ｂ）に示すように、脚を伸ばした状態では、押圧部１０５が加圧部１０２によって太く示した矢印方向に加圧され、腹部に押し込まれる。
【００３６】
このように、本実施形態によれば、脚の曲げ伸ばしによって押圧部１０５が腹部に押し込まれたり離れたりするため、着用していつもどおりの生活をするだけで、腹部をマッサージできる。例えば、スパッツ１００を就寝時に着用すると、寝返りを打つなどの動きをするたびに、押圧部１０５が腹部に押し込まれたり離れたりするため、スパッツ１００を着用して眠るだけで、腹部を十分にマッサージできる。そして、前述のとおり、腸の一部に該当する腹部のマッサージは、便秘の解消に効果があるため、本発明によれば、便秘の解消を図ることができる。便秘に悩む人からは、薬に頼ったり、無理に食生活を変えたりすることなく、いつもどおりの生活で健康的に便秘を解消したいという意見がある。本発明によれば、このような意見に応えることが可能である。
【００３７】
また、本実施形態によれば、着用中常に腹部を押圧するのではなく、前述のように押圧部１０５が押し込まれたり離れたりするため、圧迫感がなく、楽な着用感を実現できる。なお、本実施形態において、例えば、ウエスト部およびヒップ部をゆとりのある設計にすれば、さらに楽な着用感となり、例えば、部屋着またはパジャマに適した構造となるため、好ましい。
【００３８】
なお、本発明は、図１０（ａ）（ｂ）に示すように、さらに、加圧部１０２と押圧部１０５との間に、難伸縮性のシート部１０４が設けられていても良い。図１０（ａ）は、押圧部１０５周辺を肌側から見た図、図１０（ｂ）は、図１０（ａ）のＩ−Ｉ方向における断面図である。シート部１０４を設けることにより、加圧の際に押圧部１０５が身体側からスパッツ本体１０１方向に押し出されて、衣類の外側に突き出してしまい（図１０（ｃ）に示す状態）、身体側への押圧が弱まってしまうことを防ぎ、加圧部１０２が押圧部１０５を加圧する力をさらに強くすることができる。図１０（ｄ）に、シート部１０４を設けた場合の、押圧部１０５の状態を示す。ここでの難伸縮とは、前述のとおりであり、加圧部１０２と同程度の伸縮性であってもよいが、加圧する力を強くするためには、シート部１０４は、身体の伸縮方向のみではなく、身体の伸縮方向と直交する方向にも難伸縮であることが好ましい。シート部１０４に使用できる素材は、例えば、ハリ、コシを有する難伸縮性の素材、例えば、ラミネート加工を施した難伸縮性の編地が好適である。また、樹脂プリントを施した素材を用いていても良いし、抜蝕加工を施した素材を用いても良い。シート部１０４は、非伸縮性であってもよい。ここで、「非伸縮」とは、身体の伸縮方向にも、身体の伸縮方向に直交する方向にも伸縮しないことをいう。シート部１０４が非伸縮性である場合、使用できる素材は、例えば、ラミネート加工を施した非伸縮性の編地等があげられる。シート部１０４の大きさは、特に制限されないが、押圧部１０５よりも広い面積であることが、押圧部１０５をしっかり加圧することができるため、好ましい。ただし、着用感の観点から、鼡径部に掛からない大きさであることが好ましい。
【００３９】
（第２の実施形態）
図１１（ａ）（ｂ）に、本発明の第２の実施形態に係るスパッツ２００を示す。図１１（ａ）は、スパッツ２００の正面図、図１１（ｂ）は、スパッツ２００を横から見た図である。
【００４０】
図１１（ａ）（ｂ）に示すように、本実施形態において、加圧部２０２は、スパッツ本体２０１とは別部材で構成されている。そして、加圧部２０２は、スパッツ本体２０１の肌側と反対側（すなわち、表側）に配置され、上側固着部Ｎおよび下側固着部Ｍ以外では、スパッツ本体２０１から分離している。また、加圧部２０２は、押圧部１０５よりも幅が狭くなっている。その他は、第１の実施形態と同様である。なお、本実施形態では、加圧部２０２は上側固着部Ｎおよび下側固着部Ｍ以外では、スパッツ本体２０１から分離しているが、本発明はこれに限られない。例えば、加圧部２０２の両側辺のみがスパッツ本体２０１に固着されている態様などでもよいし、加圧部２０２全体がスパッツ本体２０１に固着されている態様でもよい。
【００４１】
また、本実施形態では、押圧部１０５がスパッツ本体２０１の肌側に設けられ、加圧部２０２がスパッツ本体２０１の表側に設けられている例を挙げているが、本発明は、これに限定されるものではない。例えば、加圧部２０２の肌側面に押圧部１０５を設けるようにしてもよい。この場合には、押圧部１０５は加圧部２０２とスパッツ本体２０１の間に配置されるため、押圧部１０５をスパッツ本体に内蔵させる必要がない点でメリットがある。
【００４２】
このように、本発明において、加圧部はスパッツ本体と一部分離させることができるため、加圧部に様々なデザインを施すことができる。
【００４３】
（第３の実施形態）
図１２（ａ）（ｂ）に、本発明の衣類の第３の実施形態に係るスパッツ３００を示す。図１２（ａ）は、スパッツ３００の背面図、図１２（ｂ）は、スパッツ３００の着用状態を示す図である。
【００４４】
図１２（ａ）に示すように、本実施形態において、押圧部３０５は、スパッツ本体３０１の肌側に、腰部を押圧可能となる位置に２箇所設けられている。押圧部３０５を配置する箇所および数については、特に制限されず、１箇所でもよいし、例えば、腰椎を挟んで左右対称となる位置に複数箇所設けられてもよい。
【００４５】
本実施形態において、スパッツ本体３０１は、身体の腰部を覆う部分が、腰部をまっすぐに起こした状態に合わせて形成されている。これは、一般的なスパッツの形態と同様である。そして、押圧部３０５のスパッツ本体３０１側には、加圧部３０２が設けられている。本実施形態において、加圧部３０２は、スパッツ本体３０１の一部を構成しているが、本発明はこれに限られないことは、前記第１の実施形態で説明したとおりである。加圧部３０２は、腰部の伸縮方向（着用時における上下方向）に沿って設けられている。その他、押圧部３０５および加圧部３０２についての説明は、前記第１の実施形態における説明を援用できる。
【００４６】
本実施形態におけるスパッツ３００の作用を説明する。着用者が、図１２（ｂ）のように横になって脚を曲げたり、または立った状態、座った状態で前かがみになったりすると、着用者の腰部が曲がり、腰部周辺の衣類を伸ばそうとする力が働く。すると、加圧部３０２が張り、加圧部３０２によって押圧部３０５が腰部に押し込まれる。一方、着用者が姿勢をまっすぐにした際には、加圧部３０２の張りが解消され、押圧部３０５は、腰部に触れているだけの状態となる。このように、本実施形態によれば、着用するだけで、腰部のマッサージができる。
【００４７】
本実施形態において、さらに、第１の実施形態の構成を有し、腹部に押圧部を設けても良い。このような態様にすることにより、腰部と腹部との両方をマッサージ可能なスパッツを実現することができる。
【００４８】
（第４の実施形態）
図１３に、本発明の第４の実施形態に係るＴシャツ４００を示す。図１３は、Ｔシャツ４００の着用状態を示す図である。
【００４９】
本実施形態において、Ｔシャツ４００は、衣類（Ｔシャツ）本体４０１が、両脇を閉め、両腕を真下に下ろした状態に合わせて形成されている。そして、Ｔシャツ本体４０１の肌側に、押圧部４０５が、両脇部を押圧可能となる位置に設けられている。押圧部４０５のＴシャツ本体４０１側には、加圧部４０２が設けられている。加圧部４０２は、肩部から脇部にかけての方向に沿って設けられている。そして、加圧部４０２は、Ｔシャツ本体４０１の一部を構成している。押圧部４０５および加圧部４０２についての説明は、前記第１の実施形態における説明を援用できる。
【００５０】
Ｔシャツ４００の作用を説明する。着用者が、図１３のように腕を後ろに振ったり、または横に広げたりすると、着用者の脇部が伸び、脇部周辺の衣類を伸ばそうとする力が働く。すると、加圧部４０２が張り、加圧部４０２によって押圧部４０５が脇部に押し込まれる。一方、着用者が腕を身体の真横に戻すと、押圧部４０５は、脇部に触れているだけの状態となる。
【００５１】
このように、本発明は、トップスにも適用できる。本実施形態によれば、着用するだけで、脇部のマッサージができる。脇部には、リンパ節が存在する。そのため、Ｔシャツ４００を着用することにより、リンパマッサージを行うことができ、リンパの流れを良くすることができる。
【００５２】
なお、本実施形態では、着用者が、腕を後ろに振ったり、または横に広げたりすると、押圧部４０５が脇部に押し込まれ、着用者が腕を身体の真横に戻すと、押圧部４０５は脇部に触れているだけの状態となる態様について説明したが、本発明はこれに限られない。本発明は、例えば、Ｔシャツ本体が、腕を前に振り上げた状態に合わせて形成されていてもよい。この場合、例えば、押圧部は、肩部の前側の腕の付け根付近や、脇部の前側を押圧可能となる位置に設けられており、着用者が、腕を身体の真横または真横より後側にもっていくと、押圧部が身体に押し込まれ、腕を前に振り上げると、押し込まれないという態様にすることが可能である。
【００５３】
（第５の実施形態）
図１４に、本発明の第５の実施形態に係るＴシャツ５００を示す。図１４は、Ｔシャツ５００の着用状態を示す図である。
【００５４】
本実施形態において、Ｔシャツ５００は、衣類（Ｔシャツ）本体５０１が、両脇を閉め、両腕を真下に下ろした状態に合わせて形成されている。そして、Ｔシャツ本体５０１の肌側に、押圧部５０５が、肩甲骨下部を押圧可能となる位置に設けられている。押圧部５０５のＴシャツ本体５０１側には、加圧部５０２が設けられている。加圧部５０２は、肩部から肩甲骨下部をとおり、脇部にかけての方向に沿って設けられている。そして、加圧部５０２は、Ｔシャツ本体５０１の一部を構成している。押圧部５０５および加圧部５０２についての説明は、前記第１の実施形態における説明を援用できる。
【００５５】
Ｔシャツ５００の作用を説明する。着用者が、図１４のように腕を前に振ったり、または右腕を左側に、左腕を右側に動かすと、着用者の肩甲骨下部が伸び、肩甲骨周辺の衣類を伸ばそうとする力が働く。すると、加圧部５０２が張り、加圧部５０２によって押圧部５０５が肩甲骨下部に押し込まれる。一方、着用者が腕を身体の真横に戻すと、押圧部５０５は、肩甲骨下部に触れているだけの状態となる。
【００５６】
本実施形態によれば、着用するだけで、肩甲骨下部のマッサージができ、こりをほぐすことができる。また、本実施形態は、さらに、前記第４の実施形態における押圧部４０５よび加圧部４０２を設けてもよい。これにより、肩甲骨下部と脇部との両方をマッサージすることができる。なお、本実施形態において、押圧部５０５は肩甲骨下部に設けられているが、本発明はこれに限られない。押圧部は、例えば、両肩部に設けてもよく、両肩部、肩甲骨下部、および脇部に設けてもよい。このように、本発明は、マッサージしたい箇所に応じて、押圧部を設けることができる。
【００５７】
（第６の実施形態）
図１５（ａ）（ｂ）に、本発明の第６の実施形態に係るフード付き衣類６００を示す。図１５（ａ）は、フード付き衣類６００の背面図、図１５（ｂ）は、着用状態を示す図である。
【００５８】
本実施形態において、フード付き衣類６００は、フードの付け根部分Ｑから、頭頂部Ｒまでの長さが、頭部をまっすぐに起こした状態での身体の肩部から頭頂部までの長さと同じになるように形成されている。そして、フード付き衣類本体６０１の肌側に、押圧部６０５が、首の後側の頸椎を挟んだ２箇所を押圧可能となる位置に設けられている。押圧部６０５のフード付き衣類本体６０１側には、加圧部６０２が設けられている。加圧部６０２は、頭頂部から肩部にかけての方向に沿って設けられている。本実施形態において、加圧部６０２は、フード付き衣類本体６０１の一部を構成している。押圧部６０５および加圧部６０２についての説明は、前記第１の実施形態における説明を援用できる。
【００５９】
図１５（ａ）に示すように、本実施形態において、加圧部６０２は、押圧部６０５を２箇所とも押圧可能に設けられているが、本発明はこれに限られず、それぞれの押圧部ごとに加圧部が設けられてもよい。また、本実施形態において、押圧部６０５は２箇所設けられているが、本発明はこれに限られず、１箇所でもよいし、２以上の複数箇所に設けられていてもよい。
【００６０】
フード付き衣類６００の作用を説明する。着用者が、図１５（ｂ）のように、頭を前に倒すと、着用者の首の後側が伸び、首の後側の衣類を伸ばそうとする力が働く。すると、加圧部６０２が張り、加圧部６０２によって押圧部６０５が首の後側に押し込まれる。一方、着用者が頭をまっすぐに起こすと、押圧部６０５は、首の後側に触れているだけの状態となる。
【００６１】
本実施形態によれば、着用するだけで、首の後側のマッサージができ、首のこりをほぐすことができる。また、本実施形態は、さらに、両肩部にも押圧部および加圧部を設けてもよい。
【００６２】
なお、本実施形態においては、頭を前に倒すと、押圧部６０５が首の後側に押し込まれ、着用者が頭をまっすぐに起こすと、押圧部６０５が首の後側に触れているだけの状態となる態様について説明したが、本発明はこれに限られない。本発明は、例えば、頭を後ろに倒した状態に合わせ、フード付き衣類本体のフードの付け根部分Ｑから頭頂部Ｒまでの長さが、頭部をまっすぐに起こした状態での身体の肩部から頭頂部までの長さよりも短くなるように形成されていてもよい。この場合、着用者が頭をまっすぐに起こすと、押圧部が首の後側に押し込まれる。ただし、この場合、押圧部がほぼ常に首の後側に押し込まれている状態になるため、押圧部が身体に押し込まれたり離れたりすることによるマッサージ効果を得るためには、前記第６の実施形態に示した態様が好ましい。
【００６３】
（着用客観評価）
［評価１］
図１に示すタイプの本発明の衣類の実施形態１に係るスパッツ１００を作製し、着用評価を行った。前記スパッツ１００を、モニターが着用して横になり、脚を曲げた状態、片脚を伸ばした状態、両脚を伸ばした状態それぞれについて、押圧部の衣服圧を測定した。前記測定は、押圧部の内側に衣服圧センサーを取り付けることによって行った。
【００６４】
その結果を、図１６のグラフに示す。図示のように、脚を曲げた状態では、押圧部の衣服圧が２０ｈｐａ〜３５ｈｐａであるのに対し、片脚を伸ばした状態での伸ばした脚側の押圧部では、３０ｈｐａ〜５０ｈｐａ、両脚を伸ばした状態では、４０ｈｐａ〜６０ｈｐａの衣服圧が得られた。発明者らが研究を重ねたところ、就寝中に腹部に行うマッサージとしては、４０ｈｐａよりも圧力が小さいとマッサージ効果が充分に得られない可能性が高くなる。一方、６０ｈｐａよりも圧力が大きいと圧力が大きすぎて着用者が目覚めてしまい易くなる。このため、約４０ｈｐａ〜６０ｈｐａ程度の圧力で腹部のマッサージを行うことが効果的であるとの知見を得ている。このため、本発明のスパッツ１００を着用して脚の曲げ伸ばしをすると、押圧に強弱をつけることができ、就寝時等において効果的なマッサージ行うことができる。
【００６５】
［評価２］
図１に示すタイプの本発明の衣類の実施形態１に係るスパッツ１００を作製し、着用評価を行った。前記スパッツ１００を、１７日間、２名のモニターが着用して就寝し、着用期間中の排便の有無、そして排便有りの場合は排便の時間帯および回数を記録した。全てのモニターにおいて、着用期間中、運動、食事などの生活習慣は普段と変えなかった。また、比較例として、それぞれのモニターについて、スパッツ１００の着用期間前１１日間、および、着用期間後６日間の排便を記録した。
【００６６】
その結果を、図１７の表に示す。まず、モニターＡでは、着用期間前および着用期間後では、排便がない日が存在するのに対し、スパッツ１００の着用期間中は、毎日排便があり、そのうち４日は、一日に２回排便があった。また、着用期間前および着用期間後は、昼または夜に排便がある日が存在するのに対し、着用期間中は、全ての日において、朝に排便があった。次に、モニターＢでは、着用期間前および着用期間後は、排便が一日おきであったり、数日連続して排便のない日があるのに対し、スパッツ１００の着用期間中は、着用後２日目と３日目に排便のない日があったものの、着用開始後１日目には、朝、昼、夜の合計３回排便があり、着用後４日目からは、毎日排便があった。これにより、スパッツ１００には、腸のマッサージ効果があり、その結果として便秘が解消されることがわかった。
【００６７】
［評価３］
評価２と同様にして、２１名のモニターについて、着用評価を行った。そして、（ｉ）着用期間前後と比較して、着用期間中は排便がある日の頻度が増えた、または、（ｉｉ）着用期間前後と比較して、着用期間中は、朝に排便がある日が増えた、のいずれかの効果が得られた場合には、「効果あり」と評価した。その結果、２１名中１６名において、「効果あり」との評価が得られ、着用によって有意な効果があることがわかった。
【００６８】
（着用主観評価）
図１に示すタイプの本発明の実施形態１に係るスパッツ１００を作製し、モニターに着用してもらい、着用者のコメントを求めた。その結果、「お通じがよくなった」（２１名中１６名）、「寝ていても苦しくない、違和感がない」（２１名中２０名）、「（指圧効果により）お腹が気持よかった」（２１名中１５名）、「（着用テスト終了後も）着用を続けたい」（２１名中１６名）という回答が得られた。具体的なコメントしては、「お腹指圧のようにグーッと押す感じ」、「おなかがぐるぐるいう」、「おなかの中が、温まる感じで気持ちよく、ぐっすり寝れた」、「はいている間、大変朝のお通じが良かった」、「便通が良かった。お腹が温まったせいか、身体が温かかった」というものがあった。これにより、本発明に係るスパッツには、マッサージ効果があり、かつ、圧迫感がなく着用感が楽であることが確認できた。
【００６９】
以上、実施の形態の具体例として、スパッツ、Ｔシャツ、フード付き衣類をあげて本発明を説明したが、本発明の衣類は、これらの具体例で記載されたもののみに限定されるものではなく、種々の態様が可能である。例えば、上記の実施形態のような衣類以外にも、レギンス、腹巻、トレーナー、パンツ、部屋着、オーバーオール、ベストなど、その他各種の衣類に適用可能である。
【産業上の利用可能性】
【００７０】
本発明の衣類は、種々の態様が可能である。例えば、上記の実施形態のような衣類以外にも、スポーツ衣類、アウターなど、各種の衣類に適用できる。
【符号の説明】
【００７１】
１００、２００、３００        スパッツ
４００、５００  Ｔシャツ
６００  フード付き衣類
１０１、２０１、３０１、４０１、５０１、６０１  衣類本体
１０１Ａ、１０１Ａ’  脚部内側布
１０１Ｂ、１０１Ｂ’  脚部外側布
１０１Ｃ、１０１Ｃ’  前中心布
１０１Ｄ、１０１Ｄ’  後中心布
１０１Ｅ、１０１Ｅ’  加圧部布
１０２、２０２、３０２、４０２、５０２、６０２  加圧部
１０３    収納部
１０３Ａ  上側開口部
１０３Ｂ  下側開口部
１０４    シート部
１０５、３０５、４０５、５０５、６０５  押圧部
Ｌ１、Ｌ２、Ｓ１、Ｓ２、Ｔ１、Ｔ２、Ｕ１、Ｕ２、Ｘ１、Ｘ２  辺
Ｐ  開口部
Ｎ  上側固着部
Ｍ  下側固着部
Ｑ  肩部
Ｒ  頭頂部
Ｗ  腸の一部
Ｆ  関節部
【図１】
2013209770.tif 000003
【図２】
2013209770.tif 000004
【図３】
2013209770.tif 000005
【図４】
2013209770.tif 000006
【図５】
2013209770.tif 000007
【図６】
2013209770.tif 000008
【図７】
2013209770.tif 000009
【図８】
2013209770.tif 000010
【図９】
2013209770.tif 000011
【図１０】
2013209770.tif 000012
【図１１】
2013209770.tif 000013
【図１２】
2013209770.tif 000014
【図１３】
2013209770.tif 000015
【図１４】
2013209770.tif 000016
【図１５】
2013209770.tif 000017
【図１６】
2013209770.tif 000018
【図１７】
2013209770.tif 000019
【図１８】
2013209770.tif 000020